(57)【特許請求の範囲】
【請求項１】
次の層、
ａ）  支持基板、
ｂ）  反射層または高屈折率を有する層、
ｃ）  部分剥離塗料層、
ｄ）  全面接着コーティング
を有し、
前記層ｃ）及び層ｄ）の間に、粘着媒介層が位置する、セキュリティーラベルまたはセキュリティー接着テープのためのセキュリティー要素であって、
該ラベルまたはテープに対して剥がして改ざんしようと試みた場合、前記粘着媒介層は、部分剥離塗料層ｃ）が存在しない部位で支持基板ａ）に対する層ｂ）の粘着を破壊し、かつ、該部分剥離塗料層ｃ）が存在しない領域の支持基板ａ）から層ｂ）が分離されることを特徴とする、上記のセキュリティー要素。
【請求項２】
層ａ）及び層ｂ）の間に、光学特性、光学活性特性、回折特性、電気伝導特性、及び／又は磁気特性を有する、１つまたは複数の更なる層が位置することを特徴とする、請求項１に記載のセキュリティー要素。
【請求項３】
前記支持基板が、回折性構造を有する塗料層を有することを特徴とする、請求項１又は２に記載のセキュリティー要素。
【請求項４】
前記部分剥離塗料層ｃ）が、符号、記号、文字、文字列、ロゴ、線、ギロシュ（Ｇｕｉｌｌｏｃｈｅｎ）の形で施与されることを特徴とする、請求項１〜３のいずれか一つに記載のセキュリティー要素。
【請求項５】
前記部分剥離塗料層ｃ）が、着色された又は顔料着色された剥離塗料層であることを特徴とする、請求項１〜４のいずれか一つに記載のセキュリティー要素。
【請求項６】
前記部分剥離塗料層ｃ）が、光学特性、発光特性、電気伝導特性、及び／又は磁気特性を有する層であることを特徴とする、請求項５に記載のセキュリティー要素。
【請求項７】
前記反射層が、金属または合金からなる層であることを特徴とする、請求項１〜６のいずれか一つに記載のセキュリティー要素。
【請求項８】
前記高い屈折率を有する層が、金属化合物からなる層であることを特徴とする、請求項１〜６のいずれか一つに記載のセキュリティー要素。
【請求項９】
前記ラベル又はテープの改ざんが試みられた後に、引き裂かれた表面だけでなく、セキュリティーを施すべき対象物に残ったラベルの部分も乾燥されて、接着性でなくなることを特徴とする、請求項１〜８に記載のセキュリティー要素。
【請求項１０】
前記層ｄ）が、ヒートシール性接着コーティングもしくはコールドシール性接着コーティングまたは自着コーティングであることを特徴とする、請求項１〜９のいずれか一つに記載のセキュリティー要素。
【請求項１１】
セキュリティーラベル、接着テープ、またはセキュリティーフィルムとしての、請求項１〜１０のいずれか一つに記載のセキュリティー要素の使用。
【発明の詳細な説明】
【技術分野】
【０００１】
本発明は、保護すべき対象物または保護すべき包装物からラベルを剥がすと、隠された光学的要素が目に見えるようになる、改ざん検出システムを有するセキュリティーラベルまたはセキュリティー接着テープに関する。
【背景技術】
【０００２】
ドイツ特許出願公開第１００２２００２Ａ１号明細書（特許文献１）から、権限のない、包装物の開梱を検出するためのセキュリティー接着テープが知られている。この多層接着テープは、圧延された熱可塑性プラスチックフィルムをベースとする支持体を有し、その上面は場合によっては剥離塗料で被覆され、そしてその下面には次の層が施用される。
ａ）  熱可塑性プラスチックフィルム上に非常に良好に定着された、全面的に塗布されていない、プライマー層、
ｂ）  その熱可塑性プラスチックフィルム上よりもプライマー層上に対してより良好に定着された、該塗布されたプライマー層及び該熱可塑性プラスチックフィルムの塗布されていない面上に全面的に塗布された剥離層、及び
ｃ）  該熱可塑性プラスチックフィルム上の剥離層よりも剥離層上に対してより良好に定着された、剥離層上に全面的に塗布された感圧接着剤。
この場合、上記のプライマー層が塗布され、それに続いて支持体フィルムに対して非粘着性の層が塗布される。
【０００３】
この構造体の欠点とは、剥離後にも表面に接着層が存在するので、引き剥がされた接着テープが依然として接着性である点である。
【０００４】
国際公開第０１／９３２３１号パンフレット（特許文献２）からは、２つの微小構造、すなわち、一方は、操作を加えられていない状態でも識別可能である回折構造であり、他方は、剥離を制御する構造を有するセキュリティーラベルである。改ざんが試みられた際、反射層の少なくとも一部分がはがれ、それによって、新たに視覚的に識別可能な情報が目に見えるようになる。
【先行技術文献】
【特許文献】
【０００５】
【特許文献１】ドイツ特許出願公開第１００２２００２Ａ１号明細書
【特許文献２】国際公開０１／９３２３１号パンフレット
【発明の概要】
【発明が解決しようとする課題】
【０００６】
本発明の課題は、改ざんがあって初めてセキュリティーマークが識別可能となり、かつ、操作が加えられていない状態では識別不可能な、改ざんの検出を可能にするセキュリティー要素、特にセキュリティーラベルを提供することであった。
【０００７】
さらに、改ざんが加えられた状態における両面上のセキュリティー要素は、滑らかで非接着性の表面を示さなければならない。
【課題を解決するための手段】
【０００８】
したがって、本発明の対象は、
次の層、
ａ）  支持基板、
ｂ）  反射層または高屈折率を有する層、
ｃ）  部分剥離塗料層、
ｄ）  全面接着被膜
を有することを特徴とする、特にセキュリティーラベルまたはセキュリティー接着テープのためのセキュリティー要素である。
【０００９】
層ａ）及び層ｂ）の間には、場合によっては、光学特性、光学活性特性、回折特性、電気伝導特性、及び／又は磁気特性を有する、１つまたは複数の更なる層が位置することができる。
【００１０】
層ｃ）及び層ｄ）の間に、場合によっては、粘着媒介層（Ｈａｆｔｖｅｒｍｉｔｔｌｅｒｓｃｈｉｃｈｔ）が位置することができる。
【００１１】
支持基材として、例えば、支持フィルム、好ましくは、例えばＰＩ、ＰＰ、ＭＯＰＰ、ＰＥ、ＰＰＳ、ＰＥＥＫ、ＰＥＫ、ＰＥＩ、ＰＳＵ、ＰＡＥＫ、ＬＣＰ、ＰＥＮ、ＰＢＴ、ＰＥＴ、ＰＡ、ＰＣ、ＣＯＣ、ＰＯＭ、ＡＢＳ、ＰＶＣ、テフロン（登録商標）のようなフッ素化重合体からなる可撓性プラスチックフィルムが挙げられる。この支持フィルムは、好ましくは、５〜７００μｍ、より好ましくは５〜２００μｍ、特に好ましくは５〜１００μｍの厚さを有する。
【００１２】
場合によっては、この支持基材は、化学的に前処理されるか、あるいはコーティングされることができる。コーティングは、粘着媒介層または剥離層であることができる。
【００１３】
さらに、この支持基材は、回折構造（ｄｉｆｆｒａｃｔｉｖｅ  Ｓｔｒｕｃｔｕｒ）を有する塗料層を設けることができる。
【００１４】
本明細書において、回折構造とは、回折構造（Ｂｅｕｇｕｎｇｓｓｔｒｕｃｔｕｒ）、表面レリーフ、回折格子、ホログラム、キネグラム（Ｋｉｎｅｇｒａｍｍ）等を意味する。
【００１５】
塗料層は、放射線硬化性塗料層又は熱可塑性塗料層であってよい。
【００１６】
放射線硬化可能な塗料は、例えば、異なる波長において異なる程度で塗料系の硬化を開始させることができる二種又は複数種の当業者に周知の光開始剤を含むポリエステル系、エポキシ系、又はポリウレタン系をベースとする放射線硬化可能な塗料系であることができる。それ故、例えば、２００〜４００ｎｍの波長で一つの光開始剤が活性可能であることができ、その後、３７０〜６００ｎｍの波長で、二つ目の光開始剤が活性可能であることができる。二つの光開始剤の活性波長の間には、十分な差が保たれているべきであり、それ故、第一の光開始剤が活性化されている間は、第二の光開始剤のあまり強い励起は起こらない。第二の光開始剤が励起される範囲は、使用される支持基材の透過波長範囲内にあるべきである。主要な硬化（第二の光開始剤の活性化）には電子線照射も使用できる。
【００１７】
放射線硬化可能な塗料としては、水で希釈可能な塗料も使用できる。好ましくは、ポリエステルベースの塗料系である。
【００１８】
表面構造、要するに、回折（Ｄｉｆｆｒａｋｔｉｏｎｓ）構造、偏光（Ｂｅｕｇｕｎｇｓ）構造又はレリーフ構造の成形は、例えば、第一の光開始剤の活性化によってゲル点まで事前に硬化されていてかつ成形の時点までその状態にある放射線硬化可能な塗料層において、制御された温度で鋳型（Ｍａｔｒｉｚｅ）を使ってあるいは型押型の使用下で行われる。
【００１９】
水で希釈可能な放射線硬化可能な塗料が使用される場合、場合によっては、例えばＩＲ放射線源によって予備乾燥を事前に行うことができる。
【００２０】
後に安定化される熱可塑性塗料は、ＭＭＡ又はエチルセルロース又はシクロオレフィンコポリマーベースからなり、その際、そのベースポリマーには、促進された熱可塑特性を調整するために、又はその後の安定化性能を調整するために変性剤が添加される。
【００２１】
ベースポリマーに依存して、変性剤としては、例えば、塗料が熱可塑性状態である範囲内の、所望されるガラス転移温度を調整するための添加剤、又は耐久性のある塗料の硬化を達成するための変性剤が考慮される。
【００２２】
好ましくは、溶剤、例えば、水性溶剤、水、アルコール、酢酸エチル、メチルエチルケトン等々又はそれの混合物中に各成分が溶解される。
【００２３】
ＭＭＡをベースとする塗料には、例えば、特に有利には、ガラス転移温度を高めるのにニトロセルロースが添加される。
【００２４】
シクロオレフィンコポリマーをベースとする塗料には、例えば、特に有利には、ポリエチレンワックスが添加される。
【００２５】
エチルセルロースをベースとする塗料には、硬化性を調整するために慣用の架橋剤が添加される。
【００２６】
完成した塗料中でのベースポリマーの濃度は、ベースポリマー、所望される塗料特性及び変性剤の種類と濃度に依存して４〜５０％である。
【００２７】
熱可塑性塗料の構造化は、慣用的な熱型押成形法を使って行うことができる。
【００２８】
塗工された塗料の層厚は、最終製品に対する要求及び基材の厚さに依存して変えることができ、そして一般に、０．５〜５０μｍ、好ましくは２〜１０μｍ、特に好ましくは２〜５μｍである。
【００２９】
続いて、反射層又は高い屈折率を有する層が設けられる。
【００３０】
この層は、全面的に又は部分的に、しかしながら少なくとも部分的に剥離塗料層と重なるように設けることができる。
【００３１】
反射層としては、例えば、金属又は合金からなる層が考慮される。金属層としては、Ａｌ、Ｃｕ、Ｆｅ、Ａｇ、Ａｕ、Ｃｒ、Ｎｉ、Ｚｎ等々からなる層が適している。適した合金は、例えば、Ｃｕ−Ａｌ合金、Ｃｕ−Ｚｎ合金等々である。
【００３２】
高い屈折率を有する層としては、例えば、金属化合物からなる層が考慮される。
【００３３】
金属化合物としては、例えば、金属の酸化物または硫化物、特にＴｉＯ２、Ｃｒ酸化物、ＺｎＳ、ＩＴＯ、ＡＴＯ、ＦＴＯ、ＺｎＯ、Ａｌ２Ｏ３またはケイ素酸化物が適している。
【００３４】
層の厚さは、好ましくは１０〜１００ｎｍ、より好ましくは２０〜５０ｎｍである。
【００３５】
続いて、剥離塗料の部分層が塗工される。この剥離塗料層は、場合によっては着色された又は顔料着色された剥離塗料層であることができる。
【００３６】
剥離塗料層は、発光特性、特に蛍光もしくは発光特性、電気伝導特性、及び／又は磁気特性を示すことができる。
【００３７】
好ましくは、水性バインダー又は溶剤含有バインダーをベースとする剥離塗料層が塗工される。
【００３８】
好ましくは、剥離塗料層は、符号、記号、文字、文字列、ロゴ、線、ギロシュ（Ｇｕｉｌｌｏｃｈｅｎ）等々の形で施与される。
【００３９】
続いて、この剥離塗料層上に、場合によっては全面的な粘着媒介層が施用される。
【００４０】
粘着媒介層としては、ポリウレタン、ポリ塩化ビニル又はアクリレート及びそれらのコポリマーをベースとする既知の組成物が考慮される。
【００４１】
この粘着媒介層上に、接着コーティング、例えば、低温シール性接着コーティングもしくはヒートシール性接着コーティング又は自着コーティングが施用される。この接着コーティングにより、セキュリティーを施すべき対象物上にラベルが固定される。
【００４２】
この接着コーティング又は粘着媒介層は、剥離塗料層が存在しない部位で、金属層または高い屈折率を有する層に浸透する。それによって、支持基材又はその上に設けられた層に対する粘着が破壊される。
【００４３】
セキュリティーを施すべき対象物上に接着コーティングでラベルが施与される場合、剥離塗料層の上に存在する金属層または高い屈折率を有する層によって部分的な剥離塗料層を識別することができない。
【００４４】
ラベルを剥がすと、接着コーティング又は粘着媒介剤により、剥離塗料層が存在しない領域の支持基材から金属被膜（Ｍｅｔａｌｌｉｓｉｅｒｕｎｇ）が分離される。剥離塗料層が存在する領域においては、金属被膜は支持基材からではなく剥離塗料層からだけ分離され、すなわち、層ｂと層ｃとの間で構造が分割される。
【００４５】
それによって、剥離塗料層として印刷された情報が識別可能となる。
【００４６】
その上、引き裂かれた表面だけでなく、セキュリティーを施すべき対象物に残ったラベルの部分も乾燥されて、接着性でなくなる。
【００４７】
本発明のセキュリティー要素は、包装材料上のセキュリティー要素として施用することができるか、あるいは、任意形態（方形、円形、楕円形）のラベルとしての既製品形態で、又は対象物又は包装を保全するための接着テープとして使用できる。